(57)【要約】【課題】電源コンセントのない場所において吸湿剤による除湿を効率良く行い得、しかも、充電電力の消費を抑制することができる除湿機を提供する。【解決手段】除湿機１０は、筐体１１の内部に、加熱により放湿する吸湿剤１８を充填した吸湿剤ケージ１２と、外部の空気を通気口１９より筐体１１内に吸込み、吸湿剤１８を通過させた後、排気口２１から排出するファンモータユニット１４と、ファンモータユニット１４の電源となる二次電池１５と、湿度センサ２４と、ファンモータユニット１４の制御装置２５を備えている。制御装置２５は、湿度センサ２４が第１設定値以上の湿度を検知しているとき、または、第１設定値より低い第２設定値以下の湿度を検知しているときはファンモータユニット１４を駆動しない。【選択図】図２
2011017503.tif 000002
【特許請求の範囲】
【請求項１】
筐体内に、細孔内に水分を取り込む多孔物質からなる吸湿剤と、外部の空気を前記筐体内に吸込み、前記吸湿剤を通過させた後筐体外に排出するファンモータユニットと、前記ファンモータユニットの電源となる二次電池と、湿度センサと、前記ファンモータユニットの制御装置とを設け、
前記制御装置は、前記湿度センサが第１設定値以上の湿度を検知しているときは前記ファンモータユニットを駆動しないことを特徴とする除湿機。
【請求項２】
前記制御装置は、前記湿度センサが前記第１設定値より低い第２設定値以下の湿度を検知しているときは前記ファンモータを駆動しないことを特徴とする請求項１に記載の除湿機。
【請求項３】
前記二次電池の充電を行い、且つ、前記吸湿剤を加熱して放湿を行わせるヒータを備える充電スタンドが組み合わせられることを特徴とする請求項１または２に記載の除湿機。
【請求項４】
前記筐体に、当該筐体を正立姿勢で壁に掛けるための第１壁掛け孔と、当該筐体を横転姿勢で壁に掛けるための第２壁掛け孔が形成されていることを特徴とする請求項１から３のいずれか１項に記載の除湿機。
【請求項５】
前記筐体に、他の物体に引っ掛かるフックが設けられていることを特徴とする請求項１から３のいずれか１項に記載の除湿機。
【請求項６】
前記筐体に、他の物体のフックが引っ掛かる係合部が設けられていることを特徴とする請求項５に記載の除湿機。
【発明の詳細な説明】
【技術分野】
【０００１】
本発明は除湿機に関する。
【背景技術】
【０００２】
除湿を行うための装置には様々な方式のものがある。吸湿剤を用いるものもその一つであり、特許文献１、２に例を見ることができる。
【０００３】
特許文献１に記載された除湿装置は、塩化カルシウムや塩化マグネシウム等の潮解性乾燥剤を吸湿剤として用い、水分を吸収した吸湿剤をヒータで加熱して水分を蒸発させ、吸湿剤の再生を行っている。
【０００４】
特許文献２に記載された除湿装置は、加熱によって吸湿力を回復できる、シリカゲル等の吸湿剤を用い、電気ヒータの熱や太陽熱で加熱される空気加熱部により吸湿剤の再生を行っている。
【先行技術文献】
【特許文献】
【０００５】
【特許文献１】特開平９−２９９７３９号公報（国際特許分類：Ｂ０１Ｄ５３／２６）
【特許文献２】特開２０００−１５０４２号公報（国際特許分類：Ｂ０１Ｄ５３／２６）
【発明の概要】
【発明が解決しようとする課題】
【０００６】
家庭内では、押し入れやシューズロッカー等の比較的狭い密閉空間に湿気がたまりやすく、このような場所で簡便に使用できる除湿機が待ち望まれている。
【０００７】
本発明は上記要請に鑑みなされたものであり、二次電池を電源とすることにより、電源コンセントのない場所において吸湿剤による除湿を効率良く行うことができ、しかも、充電電力の消費を抑制して長時間の連続使用が可能な除湿機を提供することを目的とする。
【課題を解決するための手段】
【０００８】
上記目的を達成するために、本発明に係る除湿機は、筐体内に、細孔内に水分を取り込む多孔物質からなる吸湿剤と、外部の空気を前記筐体内に吸込み、前記吸湿剤を通過させた後筐体外に排出するファンモータユニットと、前記ファンモータユニットの電源となる二次電池と、湿度センサと、前記ファンモータユニットの制御装置とを設け、前記制御装置は、前記湿度センサが第１設定値以上の湿度を検知しているときは前記ファンモータユニットを駆動しないことを特徴としている。
【０００９】
この構成によると、除湿機は、ファンモータユニットにより空気を積極的に流動させて吸湿剤を通過させるものであるから、除湿を効率良く行うことができる。ファンモータユニットの動力源は二次電池であるため、通常は電源コンセントなど備えられることのない押し入れやシューズロッカー等でも使用可能である。また、細孔内に水分を取り込む多孔物質からなる吸湿剤は、湿度が高ければ空気の流動がなくても吸湿能力を発揮することを利用して、第１設定値以上の湿度のときはファンモータユニットを駆動しないこととしたから、充電電力の消費が抑制され、長時間の連続使用が可能になる。
【００１０】
また本発明は、上記構成の除湿機において、前記制御装置は、前記湿度センサが前記第１設定値より低い第２設定値以下の湿度を検知しているときは前記ファンモータを駆動しないことを特徴としている。
【００１１】
この構成によると、所定の低湿度範囲に入ったときはファンモータユニットを駆動しないこととしたから、充電電力の消費が抑制され、長時間の連続使用が可能になる。
【００１２】
また本発明は、上記構成の除湿機において、前記二次電池の充電を行い、且つ、前記吸湿剤を加熱して放湿を行わせるヒータを備える充電スタンドが組み合わせられることを特徴としている。
【００１３】
この構成によると、二次電池の充電を行うために除湿機を充電スタンドに保持させたとき、充電スタンドのヒータで吸湿剤を加熱して放湿を行わせることができるから、十分な熱量を投入して、吸湿剤を速やかに再生することができる。
【００１４】
また本発明は、上記構成の除湿機において、前記筐体に、当該筐体を正立姿勢で壁に掛けるための第１壁掛け孔と、当該筐体を横転姿勢で壁に掛けるための第２壁掛け孔が形成されていることを特徴としている。
【００１５】
この構成によると、除湿機を壁掛け状態で使用することが可能になる上、筐体の縦横比が１：１でないときは、正立状態か横転状態か、その場所に収まりやすい姿勢で壁に掛けることができるから、除湿機を使用できる場所の範囲を広げることができる。
【００１６】
また本発明は、上記構成の除湿機において、前記筐体に、他の物体に引っ掛かるフックが設けられていることを特徴としている。
【００１７】
この構成によると、フックを引っ掛けることにより除湿機を設置できるから、除湿機を使用できる場所の範囲を広げることができる。
【００１８】
また本発明は、上記構成の除湿機において、前記筐体に、他の物体のフックが引っ掛かる係合部が設けられていることを特徴としている。
【００１９】
この構成によると、除湿機を他の物体のフック掛けとして利用できるから、除湿機の使い勝手が向上する。
【発明の効果】
【００２０】
本発明によると、電源コンセントのない場所でも吸湿剤による除湿を効率良く行うことができ、また、二次電池の充電電力の消費が抑制され、長時間の連続使用が可能な除湿機が得られる。
【図面の簡単な説明】
【００２１】
【図１】本発明の第１実施形態に係る除湿機の斜視図である。
【図２】第１実施形態の除湿機の垂直断面図である。
【図３】第１実施形態の除湿機の切断斜視図である。
【図４】吸湿剤の吸放湿特性グラフである。
【図５】除湿機運転のフローチャートでる。
【図６】本発明の第２実施形態に係る除湿機に充電スタンドを組み合わせた状態の斜視図である。
【図７】図６の除湿機と充電スタンドの切断斜視図である。
【図８】図６の除湿機と充電スタンドの切断斜視図であって、図７とは切断部位を異ならせたものである。
【図９】図６の充電スタンドの斜視図である。
【図１０】第２実施形態の除湿機の切断斜視図である。
【図１１】本発明の第３実施形態に係る除湿機の筐体背面図である。
【図１２】第３実施形態の除湿機を正立姿勢で壁に掛ける状態を示す斜視図である。
【図１３】第３実施形態の除湿機を横転姿勢で壁に掛ける状態を示す斜視図である。
【図１４】本発明の第４実施形態に係る除湿機の正面図である。
【図１５】第４実施形態の除湿機の側面図である。
【図１６】第４実施形態の除湿機の上面図である。
【図１７】本発明の第５実施形態に係る除湿機の正面図である。
【図１８】第５実施形態の除湿機の側面図である。
【図１９】第５実施形態の除湿機の上面図である。
【図２０】本発明の第６実施形態に係る除湿機の斜視図である。
【発明を実施するための形態】
【００２２】
本発明に係る除湿装置の第１実施形態を図１から図５までの図に基づき説明する。
【００２３】
除湿機１０は、偏平な直方体を、最も広い面が正面と背面になるようにして立てた形状の合成樹脂製筐体１１を有する。筐体１１の内部は上下２段に区画されており、上方の区画は筐体１１を一回り小型にした形状の吸湿剤ケージ１２を収容する吸湿剤保持空間１３となり、下方の区画はファンモータユニット１４及びその電源となる二次電池１５を収容する動力部空間１６となっている。
【００２４】
吸湿剤ケージ１２は周囲に多数の多数の小さな円形の通気口１７を有し、内部には細孔内に水分を取り込む多孔物質からなる粒状の吸湿剤１８（図３参照）が充填されている。第１実施形態では、吸湿剤１８としてＢ型シリカゲルを使用する。Ｂ型シリカゲルは図４に示す吸着等温線のように吸湿と放湿を行うものであり、加熱することで放湿を行わせ、再生することができる。
【００２５】
吸湿剤保持空間１３の正面側側壁と背面側側壁、及び天井壁には、それぞれ横長のスリットの集合からなる通気口１９が形成されている。また吸湿剤保持空間１３と動力部空間１６を隔てる仕切壁には、小孔の集合からなる通気口２０が形成されている。
【００２６】
ファンモータユニット１４のファンはタンジェンシャルファン（クロスフローファン）であり、モータは直流モータである。動力部空間１６の正面側側壁には、ファンモータユニット１４が空気を吐出するための横長の排気口２１が形成されている。
【００２７】
吸湿剤保持空間１３には、動力部空間１６を隔てる仕切壁の上に、湿度センサ２４が配置される。動力部空間１６にはファンモータユニット１４の制御装置２５が配置される。
【００２８】
除湿機１０の用い方は次の通りである。除湿をしたい空間に除湿機１０を置き、図示しないスイッチをＯＮにしてファンモータユニット１４を駆動する。ファンモータユニット１４が排気口２１から空気を吐出すると、吸湿剤保持空間１３から動力部空間１６へ、通気口２０を通じて空気が移動する。これにより、外部空気が通気口１９を通じて吸湿剤保持空間１３に吸込まれることになる。
【００２９】
吸湿剤保持空間１３に吸込まれた空気は、通気口１７を通じて吸湿剤ケージ１２内の吸湿剤１８に接触し、吸湿される。そして排気口２１から排出される。このように、空気が積極的に除湿機１０に吸込まれては吸湿剤１８で除湿され、排出されるという循環が生じる結果、除湿機１０が置かれた空間は効率良く除湿される。
【００３０】
このように除湿機１０は、ファンモータユニット１４により空気を積極的に流動させて吸湿剤１８を通過させるものであるから、除湿を効率良く行うことができる。ファンモータユニット１４の動力源は二次電池１５であるため、通常は電源コンセントなど備えられることのない押し入れやシューズロッカー等でも使用可能である。
【００３１】
制御装置２５は、スイッチＯＮである間中ファンモータユニット１４を連続運転させるのではなく、湿度センサ２４が検知する湿度に基づいて、図５のフローチャートのようにファンモータユニット１４を制御する。以下、これについて説明する。
【００３２】
図５のフローにおいて、ステップ＃１０１でスイッチＯＮにすると、ステップ＃１０２でファンモータユニット１４の運転が開始される。しばらくファンモータユニット１４の運転を続け、湿度測定を安定して行えるようになってから、ステップ＃１０３で湿度センサ２４により湿度を測定する。続くステップ＃１０４では、湿度センサ２４の測定した湿度が第１設定値として設定した湿度以上であるかどうかをチェックする。
【００３３】
空気の流動がなくても吸湿剤１８が十分に吸湿能力を発揮する湿度範囲に第１設定値を設定する。ここでは、一例として、湿度８０％を第１設定値とする。
【００３４】
ステップ＃１０４で湿度をチェックした結果、その値が８０％以上であったときはステップ＃１０８に進み、ファンモータユニット１４の運転を中断する。湿度８０％未満であったときはステップ＃１０５に進む。
【００３５】
ステップ＃１０５では、湿度センサ２４の測定した湿度が、第１設定値より低い第２設定値以下であるかどうかをチェックする。
【００３６】
第１設定値よりも低く、積極的に除湿を行うまでもない湿度範囲に第２設定値を設定する。ここでは、一例として、湿度６０％を第２設定値とする。
【００３７】
ステップ＃１０５で湿度をチェックした結果、その値が６０％以下であったときはステップ＃１０８に進み、ファンモータユニット１４の運転を中断する。湿度が６０％を超えていたときはステップ＃１０６に進む。
【００３８】
ステップ＃１０６では、スイッチＯＦＦになったかどうかをチェックする。スイッチＯＦＦになればステップ＃１０７に進み、ファンモータユニット１４の運転を停止する。これにより、除湿機１０の運転は終了する。
【００３９】
ステップ＃１０６でスイッチＯＦＦになっていなければ、適当なサンプリングレートでステップ＃１０３の前に戻る。そして湿度を再測定する。湿度が６０％超８０％未満の範囲にとどまる限り、ファンモータユニット１４の運転は継続する。湿度が８０％以上または６０％以下になればファンモータユニット１４の運転は中断する。
【００４０】
ステップ＃１０８に進んだ後も、適当なサンプリングレートでステップ＃１０３の前に戻り、湿度を再測定する。湿度が６０％超８０％未満の範囲に入れば、ファンモータユニット１４の運転が再開される。
【００４１】
このように、細孔内に水分を取り込む多孔物質からなる吸湿剤１８が、空気の流動がなくても十分に吸湿能力を発揮する湿度範囲に第１設定値を設定して、湿度センサ２４が第１設定値以上の湿度を検知しているときは、制御装置２５はファンモータユニット１４を駆動しないこととしたから、充電電力の消費が抑制され、長時間の連続使用が可能となる。また、第１設定値よりも低く、積極的に除湿を行うまでもない湿度範囲に第２設定値を設定して、湿度センサ２４が第２設定値以下の湿度を検知しているときは、制御装置２５はファンモータユニット１４を駆動しないこととしたから、充電電力の消費が抑制され、長時間の連続使用が可能となる。
【００４２】
除湿機１０は、二次電池１５の充電と、吸湿剤１８の再生を必要とする。かかる要請を満たすため、除湿機１０に充電スタンドを組み合わせる。除湿機１０と充電スタンドの組み合わせの例を図６から図１０に示す。なお、そこに示されるのは除湿機１０の第２実施形態であるものとする。
【００４３】
図６から図９に示す充電スタンド３０は、テーブルや床のような水平面の上に置かれる水平なベース部３１と、ベース部３１の一端から垂直に立ち上がるコラム部３２を有し、全体としてＬ字形状をなしている。充電スタンド３０は図示しない充電回路を内蔵し、外部には、これも図示しないが、商用電源に接続される電源コードを備えている。
【００４４】
除湿機１０は、一方の側壁をコラム部３２に沿わせる形で充電スタンド３０のベース部３１に載置される。ベース部３１には、コラム部３２と反対側の端に、コラム部３２との間で除湿機１０を挟む、背の低い立ち上がり部３３が形成されている。立ち上がり部３３の、除湿機１０に対面する側面には、図示しない１対の接点が設けられており、除湿機１０の側面には、立ち上がり部３３側の接点に対応する、これまた図示しない１対の接点が設けられている。除湿機１０をベース部３１に載置すると接点同士が接触し、二次電池１５に充電スタンド３０より充電電流が供給される。
【００４５】
充電スタンド３０は、吸湿剤１８を加熱して放湿させるヒータを備えている。ヒータの配置と、そこから吸湿剤１８までの伝熱の仕組みは次のようになっている。
【００４６】
コラム部３２の中にヒータ３９（図７参照）を設ける。ヒータ３９はセラミックヒータであり、充電スタンド３０が外部の商用電源から取り入れる、電圧１００Ｖの交流電流を給電されて発熱する。ヒータ３９が発する熱を、アルミニウムや銅などといった良熱伝導体の金属からなる伝熱接点４０を通じて外部に導く。図９に見られる通り、伝熱接点４０はコラム部３２の側面に露出している。これに対応して、除湿機１０の側では、吸湿剤ケージ１２の内部に伝熱板２３（これもアルミニウムや銅など熱伝導の良好な金属で形成するのが望ましい）を設ける。伝熱板２３は、吸湿剤ケージ１２の内部空間を前後に二分するように広がっており、その一部は除湿機１０の側面に露出している。この伝熱板２３の露出個所が、除湿機１０を充電スタンド３０にセットしたとき、伝熱接点４０に接触して熱を受け取る。受け取った熱は伝熱板２３を通じて吸湿剤ケージ１２の隅々にまで伝えられ、これにより吸湿剤１８は加熱され、放湿する。
【００４７】
なお、吸湿剤ケージ１２を金属板、例えば鋼板により形成した上、伝熱板２３が受け取った熱の一部が吸湿剤ケージ１２にも伝えられるようにし、吸湿剤１８に、それを挟む伝熱板２３と吸湿剤ケージ１２の両方から熱が伝えられるようにしてもよい。これにより、吸湿剤１８を効率的に加熱して、放湿を促進することができる。
【００４８】
吸湿剤１８が十分に吸湿するか、二次電池１５の充電残量が少なくなったら、除湿機１０を充電スタンド３０にセットして、二次電池１５の充電と吸湿剤１８の再生を行う。充電スタンド３０が商用電源に接続されていれば、除湿機１０が充電スタンド３０にセットされるや否や二次電池１５の充電が開始される。ヒータ３９への給電は、除湿機１０が充電スタンド３０にセットされることにより自動的に開始されるようにしてもよく、あるいは、充電スタンド３０にスイッチを設け、そのスイッチを操作することにより開始されるようにしてもよい。商用の交流電流を使用するため、ヒータ３９の発熱量を十分に確保でき、吸湿剤１８を速やかに再生することができる。
【００４９】
二次電池１５を完全放電状態から満充電状態まで充電するのに要する時間よりも、吸湿剤１８を飽和吸湿状態から乾燥状態まで放湿させるのに要する時間の方が若干短くなるように、ヒータ３９の発熱量を設定する。これにより、二次電池１５の充電中に、吸湿剤１８を完全に再生することができる。
【００５０】
ヒータ３９の通電制御を行う充電スタンド３０の制御装置は、二次電池１５が満充電状態になったとき、ヒータ３５への通電を停止するようにすることができる。これにより、二次電池１５の満充電を除湿機１０再稼動の条件として、除湿機１０を速やかに再稼動することができる。
【００５１】
第２実施形態では伝熱接点４０と伝熱板２３により吸湿剤１８を加熱したが、充電スタンド３０側のヒータで熱気を生成し、その熱気を除湿機１０に送り込んで吸湿剤１８を加熱する構成にすることも可能である。
【００５２】
除湿機１０の第３実施形態を図１１から図１３に示す。第３実施形態は、除湿機１０の筐体１１に次のような工夫を施したことが特徴になっている。すなわち、筐体１１の背面に２種類の壁掛け孔を形成する。その１は筐体１１の上辺に沿って形成された第１壁掛け孔５１であり、その２は筐体１１の一方の側辺に沿って形成された第２壁掛け孔５２である。第１壁掛け孔５１も第２壁掛け孔５２もダルマ形状をしていて、それぞれ３個ずつ、互いの間に間隔を置いて、筐体１１の上辺または側辺と平行に形成されている。
【００５３】
第１壁掛け孔５１を用いれば、図１２に示すように、壁のフック５３に除湿機１０を正立姿勢で掛けることができる。第２壁掛け孔５２を用いれば、図１３に示すように、壁のフック５３に除湿機１０を横転姿勢で掛けることができる。
【００５４】
このように、除湿機１０を壁掛け状態で使用することが可能になる上、筐体１１の縦横比が１：１でないときは、正立姿勢か横転姿勢か、その場所に収まりやすい姿勢で壁に掛けることができるから、除湿機１０の使い勝手が向上する。
【００５５】
除湿機１０の第４実施形態を図１４から図１６に示す。第４実施形態は、除湿機１０の筐体１１に、他の物体に引っ掛かるフック６０を設けたことが特徴になっている。すなわち筐体１１の天面に凹部６１を形成し、正面から見て凹部６１の中央位置に、水平な軸６２によりフック６０を、垂直面内で回転可能に取り付けている。フック６０は鉤状の部分を凹部６１の内部に収納することができる。また鉤状の部分と反対側の端を、凹部６１の底部に形成したストッパ６３に係合させて、立てた状態にすることができる。
【００５６】
フック６０を、例えばクローゼットの内部のハンガーバーに掛けることにより、除湿機１０を吊り下げ支持できる。このため、除湿機１０の使い勝手が向上する。
【００５７】
筐体１１の底面には、一方の側面から他方の側面にかけて延びる溝６４が形成され、その中に、上方の軸６２と平行する形で軸６５が通される。軸６５は、他の物体のフックが引っ掛かる係合部となる。これにより、必要時には軸６５に他の物体を引っ掛けることができることとなり、便利である。例えば、もう１台の除湿機１０を引っ掛けて重連状態で使用することとすれば、除湿能力を倍増できる。
【００５８】
フック６０の鉤状部と根元部をスイベルジョイントで連結し、鉤状部を３６０°回転させられるようにしておくとよい。このようにすれば、図１５、１６に示すように、筐体１１に対するフック６０の向きを変えることができ、除湿機１０を吊り下げやすくなる。
【００５９】
除湿機１０の第５実施形態を図１７から図１９に示す。第５実施形態は第４実施形態の変形である。すなわち第５実施形態では、筐体１１の正面または背面の上辺中央から水平に、二股のブラケット６６を突き出させ、このブラケット６６に、軸６７でフック６０を取り付けた。フック６０は、筐体１１の天面より上に立ち上がる姿勢と、筐体１１と平行に折り畳まれる姿勢をとり得る。第４実施形態の場合と同様、フック６０の鉤状部と根元部をスイベルジョイントで連結し、鉤状部を３６０°回転させられるようにしておくとよい。
【００６０】
除湿機１０の第６実施形態を図２０に示す。第６実施形態では、筐体１１に大型のフック７０を一体成型した。フック７０は、筐体１１の天面から背面外側に突き出す水平片７１と、水平片７１の端から垂直に下がる、筐体１１と同じ高さの垂直片７２からなる。垂直片７２と筐体１１の間隔は、ロッカーやクローゼットのハンガーバーを楽に挟める程度に設定しておく。
【００６１】
第６実施形態の除湿機１０は、フック７０を利用して、ロッカーやクローゼットのハンガーバーに直接引っ掛けて使用することができる。また、筐体１１を下にする形で倒し、垂直片７２をシューズロッカーの棚板に引っ掛ければ、シューズロッカーの中で使用することもできる。さらに、筐体１１と同じ高さの垂直片７２の存在により、筐体１１の奥行きが増したのと同じことになり、筐体１１が安定する。そのため、除湿機１０を水平面の上に立てて使用することができる。
【００６２】
以上、本発明の実施形態につき説明したが、本発明の範囲はこれに限定されるものではなく、発明の主旨を逸脱しない範囲で種々の変更を加えて実施することができる。
【産業上の利用可能性】
【００６３】
本発明は、吸湿剤を用いる除湿機に広く利用可能である。
【符号の説明】
【００６４】
１０  除湿機
１１  筐体
１２  吸湿剤ケージ
１４  ファンモータユニット
１５  二次電池
１７  通気口
１８  吸湿剤
１９  通気口
２０  通気口
２１  排気口
２３  伝熱板
２４  湿度センサ
２５  制御装置
３０  充電スタンド
３１  ベース部
３２  コラム部
３９  ヒータ
４０  伝熱接点
６０  フック
６５  軸（係合部）
７０  フック
【図１】
2011017503.tif 000003
【図２】
2011017503.tif 000004
【図３】
2011017503.tif 000005
【図４】
2011017503.tif 000006
【図５】
2011017503.tif 000007
【図６】
2011017503.tif 000008
【図７】
2011017503.tif 000009
【図８】
2011017503.tif 000010
【図９】
2011017503.tif 000011
【図１０】
2011017503.tif 000012
【図１１】
2011017503.tif 000013
【図１２】
2011017503.tif 000014
【図１３】
2011017503.tif 000015
【図１４】
2011017503.tif 000016
【図１５】
2011017503.tif 000017
【図１６】
2011017503.tif 000018
【図１７】
2011017503.tif 000019
【図１８】
2011017503.tif 000020
【図１９】
2011017503.tif 000021
【図２０】
2011017503.tif 000022